(57)【要約】【課題】本発明は、同時表示、マルチモニタ等の表示切り替えが簡単な操作で容易に行える情報処理装置および表示装置切り替え方法を提供することを課題とする。【解決手段】ＣＰＵ１１はエンベッテッドコントローラ（ＥＣ）１９から、プレゼンテーションボタン１１５の押下操作に伴う表示切り替え要求を受けると、ＯＳの制御の下に上記要求に従う表示切り替えの指示コマンドをグラフィックスコントローラ１４に対して発行し、エンベッテッドコントローラ（ＥＣ）１９は、上記指示コマンドを受けると、プレゼンテーションボタン１１５に割り付けられた機能（同時表示／マルチモニタ）に従う表示装置の切り替え処理を実行する。【選択図】    図４
2004171131.tif 000002
【特許請求の範囲】
【請求項１】
外部表示装置の接続インタフェースを備えた情報処理装置に於いて、
表示装置と、
操作ボタンと、
前記操作ボタンの操作に応じて前記表示装置及び前記外部表示装置を含んだ複数の表示装置を表示駆動する処理手段と
を具備したことを特徴とする情報処理装置。
【請求項２】
前記処理手段は、前記操作ボタンが操作される毎に、前記外部表示装置を含む複数の表示装置を対象とした同時表示処理と、前記表示装置を対象とした表示処理とを繰り返し実行する請求項１記載の情報処理装置。
【請求項３】
前記処理手段は、前記操作ボタンが操作される毎に、前記外部表示装置と前記表示装置とのマルチモニタ表示処理と、前記表示装置または前記外部表示装置への単一の表示装置への表示処理とを繰り返し実行する請求項１記載の情報処理装置。
【請求項４】
前記操作ボタンの操作に応じて前記表示装置と前記外部の表示装置との同時表示の処理機能、若しくは前記表示装置と前記外部の表示装置とのマルチモニタの処理機能を割り付けるユーザインタフェースを更に具備した請求項１記載の情報処理装置。
【請求項５】
前記ユーザインタフェースは、解像度を異にする複数種の表示装置への同時表示モードと、複数種の表示装置を用いたマルチモニタモードとを対象に、任意の同時表示モード、若しくはマルチモニタモードを選択可能に表示する設定画面を具備する請求項４記載の情報処理装置。
【請求項６】
前記処理手段は、前記ユーザインタフェースにより、前記操作ボタンに、同時表示の処理機能が割り付けられたとき、前記操作ボタンが操作される毎に前記外部表示装置を含む複数の表示装置を対象とした同時表示処理と単一の表示装置を対象とした表示処理とを繰り返し実行し、マルチモニタの処理機能が割り付けられたとき、前記操作ボタンが操作される毎に前記外部表示装置を含む複数の表示装置を対象としたマルチモニタ処理と単一の表示装置を対象とした表示処理とを繰り返し実行することを特徴とする請求項４記載の情報処理装置。
【請求項７】
操作ボタンと、
前記操作ボタンに、同時表示モード若しくはマルチモニタモードを割り付けるユーザインタフェースと、
前記操作ボタンが操作される毎に、前記ユーザインタフェースで割り付けたモードに応じた表示処理と単一の表示装置を対象とした表示処理とを交互に実行する処理手段と
を具備したことを特徴とする情報処理装置。
【請求項８】
外部表示装置の接続インタフェースを備えた情報処理装置の表示装置切り替え方法であって、
前記情報処理装置が有する記操作ボタンが操作される度に、前記外部表示装置を含んだ複数の表示装置を表示駆動する処理と、単一の表示装置を表示駆動する処理とを切り替えることを特徴とする表示装置切り替え方法。
【請求項９】
前記外部表示装置を含んだ複数の表示装置を表示駆動する処理では、前記複数の表示装置を対象に同時表示の処理を行うことを特徴とする請求項８記載の表示装置切り替え方法。
【請求項１０】
前記外部表示装置を含んだ複数の表示装置を表示駆動する処理では、前記複数の表示装置を対象にマルチモニタの処理を行うことを特徴とする請求項８記載の表示装置切り替え方法。
【請求項１１】
前記操作ボタンに同時表示モード若しくはマルチモニタモードを割り付けるユーザインタフェースを有し、
前記ユーザインタフェースにより同時表示モードが割り付けられたとき、前記操作ボタンが操作される度に、前記外部表示装置を含む複数の表示装置を対象とした同時表示処理と、単一の表示装置を対象とした表示処理とを繰り返し実行し、
前記ユーザインタフェースによりマルチモニタの処理機能が割り付けられたとき、前記操作ボタンが操作される度に、前記外部表示装置を含む複数の表示装置を対象としたマルチモニタ処理と、単一の表示装置を対象とした表示処理とを繰り返し実行することを特徴とする請求項８記載の表示装置切り替え方法。
【発明の詳細な説明】
【０００１】
【発明の属する技術分野】
本発明は、外部表示装置の接続インタフェースを備えた情報処理装置および表示装置切り替え方法に関する。
【０００２】
【従来の技術】
コンピュータ画面の表示装置を切り替える方法として、従来では、ホットキーや画面のプロパティ等を用いて表示切り替えを指定し、表示切り替えを行っていた（例えば、特許文献１参照）。
【０００３】
しかしながら上記した従来技術に於いては、同時表示の場合、同時表示への切り替え、同時表示の解除の際に、その都度、複数回のアクション（入力操作）が必要となり、操作性の面で問題があった。
【０００４】
また、マルチモニタ（マルチディスプレイ）の設定に於いては、画面のプロパティを開き、設定タブを選択し、モニターデバイスを選択し、更に、そのモニターデバイスが使用できるように設定を行い、ＯＫボタンを押す等、煩雑な選択操作並びに設定操作が必要となることから、使い勝手が悪く、操作性の面で問題があった。
【０００５】
【特許文献１】
特開平７−１３５３１号公報
【０００６】
【発明が解決しようとする課題】
上述したように、従来では、同時表示、マルチモニタ等の表示切替を行う際、操作性の面で問題があった。
【０００７】
本発明は上記実情に鑑みなされたもので、同時表示、マルチモニタ等の表示切り替えが簡単な操作で容易に行える情報処理装置および表示装置切り替え方法を提供することを目的とする。
【０００８】
【課題を解決するための手段】
本発明は、外部モニタを含めた表示装置の表示切替をワンタッチ操作（単独かつ１回の操作）で行う操作ボタンを設けたことを特徴とする。
【０００９】
即ち、本発明は、外部表示装置の接続インタフェースを備えた情報処理装置に於いて、操作ボタンと、前記操作ボタンの繰り返し操作に対して間欠的に前記外部表示装置を含んだ複数の表示装置を表示駆動する処理手段とを具備したことを特徴とする。
【００１０】
また本発明は前記情報処理装置に於いて、前記処理手段は、前記操作ボタンが操作される毎に、前記外部表示装置を含む複数の表示装置を対象とした同時表示処理と、単一の表示装置を対象とした表示処理とを繰り返し実行することを特徴とする。
【００１１】
また本発明は前記情報処理装置に於いて、前記処理手段は、前記操作ボタンが操作される毎に、前記外部表示装置を含む複数の表示装置を対象としたマルチモニタ処理と、単一の表示装置を対象とした表示処理とを繰り返し実行することを特徴とする。
【００１２】
また本発明は前記情報処理装置に於いて、前記操作ボタンに、同時表示の処理機能、若しくはマルチモニタの処理機能を割り付けるユーザインタフェースを更に具備し、前記処理手段は、前記ユーザインタフェースにより、前記操作ボタンに、同時表示の処理機能が割り付けられたとき、前記操作ボタンが操作される毎に前記外部表示装置を含む複数の表示装置を対象とした同時表示処理と単一の表示装置を対象とした表示処理とを繰り返し実行し、マルチモニタの処理機能が割り付けられたとき、前記操作ボタンが操作される毎に前記外部表示装置を含む複数の表示装置を対象としたマルチモニタ処理と単一の表示装置を対象とした表示処理とを繰り返し実行することを特徴とする。
【００１３】
また本発明は、操作ボタンと、前記操作ボタンに、同時表示モード若しくはマルチモニタモードを割り付けるユーザインタフェースと、前記操作ボタンが操作される毎に、前記ユーザインタフェースで割り付けたモードを認識し、当該モードに従う表示処理と単一の表示装置を対象とした表示処理とを交互に実行する処理手段とを具備した情報処理装置を特徴とする。
【００１４】
また本発明は、外部表示装置の接続インタフェースを備えた情報処理装置の表示装置切り替え方法であって、操作ボタンを有し、前記操作ボタンのワンタッチ操作毎に、前記外部表示装置を含んだ複数の表示装置を表示駆動する処理と、単一の表示装置を表示駆動する処理とを切り替えることを特徴とする。
【００１５】
また本発明は前記表示装置切り替え方法に於いて、前記外部表示装置を含んだ複数の表示装置を表示駆動する処理では、前記複数の表示装置を対象に同時表示の処理を行うことを特徴とする。
【００１６】
また本発明は前記表示装置切り替え方法に於いて、前記外部表示装置を含んだ複数の表示装置を表示駆動する処理では、前記複数の表示装置を対象にマルチモニタの処理を行うことを特徴とする。
【００１７】
また本発明は前記表示装置切り替え方法に於いて、前記操作ボタンに同時表示モード若しくはマルチモニタモードを割り付けるユーザインタフェースを有し、前記ユーザインタフェースにより同時表示モードが割り付けられたとき、前記操作ボタンが操作される毎に前記外部表示装置を含む複数の表示装置を対象とした同時表示処理と単一の表示装置を対象とした表示処理とを繰り返し実行し、前記ユーザインタフェースによりマルチモニタの処理機能が割り付けられたとき、前記操作ボタンが操作される毎に前記外部表示装置を含む複数の表示装置を対象としたマルチモニタ処理と単一の表示装置を対象とした表示処理とを繰り返し実行することを特徴とする。
【００１８】
上記したような本発明の表示処理機能をもつことで、同時表示、マルチモニタ等に於ける表示切り替えを簡単な操作で容易に行ことができる。
【００１９】
【発明の実施の形態】
以下、図面を参照して本発明の実施形態を説明する。
【００２０】
先ず図１および図２を参照して本発明の実施形態に於ける概要を説明する。
【００２１】
図１および図２はそれぞれ本発明の実施形態による操作並びに処理の手順を示す図である。ここでは、キーボードを設けた本体上で表示部筐体が所定の回動範囲をもって開閉する携帯型のパーソナルコンピュータに本発明を適用した例を示している。上記表示部筐体にはＬＣＤを用いた表示装置（内部表示デバイスと称す）が設けられる。また、上記パーソナルコンピュータの本体には、ＣＲＴ等の外部表示デバイスを接続する接続インタフェースが設けられる。更にキーボードを設けた本体の上面には、上記各表示デバイスの表示切り替えを行う専用の操作ボタン（プレゼンテーションボタンと称す）が設けられる。尚、ここでは、内部表示デバイスにＬＣＤを用い、外部表示デバイスにＣＲＴを用いた例を示すが、これに限定されるものではなく、例えば外部表示デバイスにＤＶＩ（  Ｄｉｇｉｔａｌ  Ｖｉｄｅｏ  Ｉｎｔｅｒｆａｃｅ）を介してＬＣＤ構成の表示デバイスを接続することも可能である。
【００２２】
図１は上記プレゼンテーションボタンを同時表示（同一画面表示）の切り替えに割り付けた際の操作並びに処理の手順を示している。
【００２３】
ここでは、内部表示デバイスとなるＬＣＤのみの単独表示状態下に於いて、上記プレゼンテーションボタンが１回押圧操作（ワンタッチ操作）されると、外部表示デバイスとなるＣＲＴを含めた“同時表示”に切り替わる。この“同時表示”状態下に於いて、上記プレゼンテーションボタンが再度押圧操作されると、内部表示デバイスとなるＬＣＤのみの単独表示に戻る。
【００２４】
図２は上記プレゼンテーションボタンをマルチモニタ（マルチディスプレイ）の切り替えに割り付けた際の操作並びに処理の手順を示している。
【００２５】
ここでは、内部表示デバイスとなるＬＣＤのみの単独表示状態下に於いて、上記プレゼンテーションボタンが１回押圧操作されると、外部表示デバイスとなるＣＲＴを含めた“マルチモニタ”表示に切り替わる。この“マルチモニタ”状態下に於いて、上記プレゼンテーションボタンが再度押圧操作されると、内部表示デバイスとなるＬＣＤのみの単独表示に戻る。
【００２６】
このように、プレゼンテーションボタンが操作される度に、内部表示デバイスのみの単独表示と、外部表示装置を含んだ同時表示若しくはマルチモニタ表示とが交互に切り替わる。この際、上記プレゼンテーションボタンを、同時表示の切り替え指示ボタンとして、若しくはマルチモニタの切り替え指示ボタンとしてあらかじめ任意に割り付けておくことができる手段をもつことによって、上記図１に示す表示切り替え機能、若しくは上記図２に示すマルチモニタ切り替え機能が選択的に実行可能となる。後述する本発明の実施形態では、上記プレゼンテーションボタンの機能割付（同時表示／マルチモニタ）を行うユーザインタフェースを具備している。
【００２７】
ここで、上記図１および図２に示す表示切り替え機能をより具現化した本発明の実施形態を図３乃至図６を参照して説明する。
【００２８】
図３は本発明の実施形態に於ける情報処理装置の外観構成を示す斜視図であり、ここでは、ノートブック型のパーソナルコンピュータを例に示している。
【００２９】
この図３に示す、本発明の実施形態によるコンピュータ１００は、コンピュータ本体１１０と、ディスプレイユニット（表示部筐体）１２０とから構成されている。コンピュータ本体１１０には、後述する外部ディスプレイの接続インタフェースを介して、例えばＣＲＴを用いた外部表示デバイス２００が接続される。
【００３０】
ディスプレイユニット１２０には、ＬＣＤを用いた表示装置が内部表示デバイス１２１として組み込まれている。このディスプレイユニット１２０は、コンピュータ本体１１０に対して解放位置と閉塞位置との間を回動自在に取り付けられている。
【００３１】
コンピュータ本体１１０は薄い箱形の筐体を有しており、その筐体上面には、キーボード１１１が配置され、キーボード１１１の手前の筐体部分上面にはアームレストが形成されている。このアームレストのほぼ中央部には、タッチパネル１１２が設けられる。また、キーボード１１１が設けられた筐体部分上面には、表示デバイスの表示切り替えを指示する専用の操作ボタン（以下プレゼンテーションボタンと称す）１１５が設けられる。
【００３２】
図４は上記図３に示したコンピュータのシステム構成を示すブロック図である。このコンピューターシステムはバッテリ駆動可能なノートブックタイプの携帯型パーソナルコンピュータであり、図示するように、ＣＰＵ１１、グラフィック・メモリコントローラハブ１２、メモリ１３、グラフィックスコントローラ１４、ＶＲＡＭ１４１、Ｉ／Ｏハブ１５、ＢＩＯＳ−ＲＯＭ１６、ハードディスクドライブ（ＨＤＤ）１７、サウンドコントローラ１８、エンベッテッドコントローラ（ＥＣ）１９、キーボード２０等を備えている。
【００３３】
グラフィックスコントローラ１４は、ＣＰＵ１１が実行するＯＳの制御の下に、内部表示デバイス（ＬＣＤ）１２１を表示駆動制御するとともに、ＣＲＴ端子１４２、ＤＶＩ端子１４３、ＴＶ（テレビジョン）端子１４４等、各種外部ディスプレイの接続インタフェースを介して接続された外部表示デバイスを表示駆動制御する。
【００３４】
エンベッテッドコントローラ（ＥＣ）１９はプレゼンテーションボタン１１５が押下操作されると、その操作に伴って表示切り替え指示要求をＣＰＵ１１に通知する。
【００３５】
ＣＰＵ１１は、本コンピュータの動作を制御するために設けられたもので、ハードディスクドライブ（ＨＤＤ）１７から主メモリ１３にロードされたオペレーティングシステム（ＯＳ）およびアプリケーションプログラム、ユーティリティプログラム等に従い各種の処理を実行する。この実施形態では、エンベッテッドコントローラ（ＥＣ）１９から、プレゼンテーションボタン１１５の押下操作に伴う表示切り替え要求を受けると、ＯＳの制御の下に上記要求に従う表示切り替えの指示コマンドをグラフィックスコントローラ１４に対して発行する。
【００３６】
エンベッテッドコントローラ（ＥＣ）１９は、グラフィック・メモリコントローラハブ１２を介してＣＰＵ１１より表示切り替えの指示コマンドを受けると、図６に示すような表示装置の切り替え処理を実行する。
【００３７】
図５は上記プレゼンテーションボタン１１５に割り付ける機能を選択し設定するためのユーザインタフェース画面の一構成例を示す図である。ここでは、解像度を異にする４種の同時表示（Ｓａｍｅ  Ｉｍａｇｅ）と、マルチモニタ（Ｄｉｆｆｅｒｅｎｔ  Ｉｍａｇｅ  ）とを対象に任意の１種の機能が選択され、プレゼンテーションボタン１１５に割り付けられる。
【００３８】
図６は上記プレゼンテーションボタン１１５が操作された際に上記エンベッテッドコントローラ（ＥＣ）１９で実行される表示装置の切り替え処理手順を示すフローチャートである。
【００３９】
ここで、上記各図を参照して本発明の実施形態における動作を説明する。
【００４０】
コンピュータ本体１１０には、外部ディスプレイの接続インタフェース（１４２，１４３，１４４）を介して任意の外部表示デバイス２００が接続される。ここでは、外部ディスプレイの接続インタフェース（１４２，１４３，１４４）に接続される各種外部表示デバイス（ＣＲＴディスプレイ、外部ＬＥＤ、テレビジョン）のうち、ＣＲＴディスプレイが外部表示デバイス２００として接続インタフェース１４２を介しコンピュータ本体１１０に接続されているものとする。
【００４１】
また、コンピュータ本体１１０の操作面に設けられたプレゼンテーションボタン１１５には、図５に示すユーザインタフェース画面を用いて、解像度を異にする４種の同時表示（Ｓａｍｅ  Ｉｍａｇｅ）と、マルチモニタ（Ｄｉｆｆｅｒｅｎｔ  Ｉｍａｇｅ  ）の中から、任意の機能が選択されて割り付けられる。ここでは、同時表示に割り付けられた場合（図１参照）と、マルチモニタに割り付けられた場合（図２参照）のそれぞれについて動作を説明する。
【００４２】
プレゼンテーションボタン１１５がワンタッチ操作されると、エンベッテッドコントローラ（ＥＣ）１９は、ＣＰＵ１１に表示切り替え指示要求を通知する。
【００４３】
ＣＰＵ１１はエンベッテッドコントローラ（ＥＣ）１９から、プレゼンテーションボタン１１５の押下操作に伴う表示切り替え要求を受けると、ＯＳの制御の下に上記要求に従う表示切り替えの指示コマンドをグラフィックスコントローラ１４に対して発行する。
【００４４】
エンベッテッドコントローラ（ＥＣ）１９は、グラフィック・メモリコントローラハブ１２を介してＣＰＵ１１より表示切り替えの指示コマンドを受けると、図６に示すような表示装置の切り替え処理を実行する。
【００４５】
このプレゼンテーションボタン１１５のワンタッチ操作に伴う処理では、先ず、上記プレゼンテーションボタン１１５に、いずれの機能（図５参照）が割り付けられているかを示す機能判定のためのプロパティ情報を取得し（図６ステップＳ１１）、更に、現在の表示デバイス状態並びに表示状態等、表示デバイス切り替えに必要な各種情報を取得して（図６ステップＳ１２）、上記プロパティ情報からプレゼンテーションボタン１１５に割り付けられた機能（有効な機能）を判定する（図６ステップＳ１３）。
【００４６】
ここで、プレゼンテーションボタン１１５に、同時表示（Ｓａｍｅ  Ｉｍａｇｅ）が割り付けられていることを判定すると（図６ステップＳ１３  Ｎｏ）、同時表示（Ｓａｍｅ  Ｉｍａｇｅ）を行うための各種の設定（表示タイミングの設定、同時表示の対象デバイスの各種設定、解像度の設定等）を行って（図６ステップＳ３１〜Ｓ３３，Ｓ１６）、外部表示デバイス（ＣＲＴディスプレイ）２００を同時表示駆動し、内部表示デバイス（ＬＣＤ）１２１と外部表示デバイス（ＣＲＴディスプレイ）２００に同じ情報を表示する。
【００４７】
また、プレゼンテーションボタン１１５に、マルチモニタ（Ｄｉｆｆｅｒｅｎｔ  Ｉｍａｇｅ  ）が割り付けられていることを判定すると（図６ステップＳ１３  Ｙｅｓ）、現在の表示状態が、マルチモニタの表示状態であるか否かを判断する（図６ステップＳ１４）。ここで、現在、マルチモニタの表示状態である際（図６ステップＳ１４  Ｙｅｓ）は、マルチモニタ表示を解除して、内部表示デバイス（ＬＣＤ）１２１のみの表示に戻す（図６ステップＳ１５，Ｓ１６）。また、現在、マルチモニタの表示状態でない（即ち、内部表示デバイス（ＬＣＤ）１２１のみの表示状態にある）際（図６ステップＳ１４  Ｎｏ）は、現在の外部表示デバイスの接続状態を認識してその外部表示デバイスに対してマルチモニタの表示制御を行う。ここでは、コンピュータ本体１１０の接続インタフェース１４２に外部表示デバイス２００としてＣＲＴディスプレイが接続されているので、ＣＲＴディスプレイを対象にマルチモニタの表示制御を行う（図６ステップＳ２１，Ｓ１６）。
【００４８】
このようにして、プレゼンテーションボタン１１５のワンタッチ操作を繰り返すのみで、同時表示の切り替え、若しくはマルチモニタの切り替えを簡単かつ迅速に行うことができ、使い勝手が著しく向上する。
【００４９】
尚、上記した実施形態では、プレゼンテーションボタン１１５を同時表示の切り替えと、マルチモニタの切り替えとに併用したが、例えば同時表示とマルチモニタとにそれぞれ専用の切り替えボタンを設けた構成、若しくは、他の多機能ボタン、専用ボタン等を併用する構成であってもよい。
【００５０】
【発明の効果】
以上詳記したように本発明によれば、同時表示、マルチモニタ等に於ける表示切り替えを簡単な操作で容易に行ことができる。
【図面の簡単な説明】
【図１】本発明の実施形態に於ける同時表示の際の切り替え操作並びに処理手順の概要を示す図。
【図２】本発明の実施形態に於けるマルチモニタ表示の際の切り替え操作並びに処理手順の概要を示す図。
【図３】本発明の実施形態に於ける情報処理装置の外観構成を示す斜視図。
【図４】上記実施形態に於けるコンピュータのシステム構成を示すブロック図。
【図５】上記実施形態に於けるユーザインタフェース画面の一構成例を示す図。
【図６】上記実施形態に於ける表示装置の切り替え処理手順を示すフローチャート。
【符号の説明】
１１…ＣＰＵ
１２…グラフィック・メモリコントローラハブ
１３…メモリ
１４…グラフィックスコントローラ
１５…Ｉ／Ｏハブ
１６…ＢＩＯＳ−ＲＯＭ
１７…ハードディスクドライブ（ＨＤＤ）
１８…サウンドコントローラ
１９…エンベッテッドコントローラ（ＥＣ）
２０…キーボード
１００…コンピュータ
１１０…コンピュータ本体
１１１…キーボード
１１２…タッチパネル
１１５…操作ボタン（プレゼンテーションボタン）
１２０…ディスプレイユニット（表示部筐体）
１２１…内部表示デバイス（ＬＣＤ）
１４１…ＶＲＡＭ
１４２…ＣＲＴ端子
１４３…ＤＶＩ端子
１４４…ＴＶ（テレビジョン）端子
２００…外部表示デバイス
【図１】
2004171131.tif 000003
【図２】
2004171131.tif 000004
【図３】
2004171131.tif 000005
【図４】
2004171131.tif 000006
【図５】
2004171131.tif 000007
【図６】
2004171131.tif 000008